(57)【特許請求の範囲】
【請求項１】
液晶を注入する液晶注入口部を含む表示部と、
平面的に見て、前記表示部の液晶注入口部が設けられた辺に沿って最外周部に形成された配線と、を備え、
前記配線は、
前記液晶注入口部が設けられた辺に沿って配置された主配線部と、
前記主配線部よりも外側に前記主配線部と平行に延びるように配置されるとともに、前記液晶注入口部に対応する部分には配置されないように構成された副配線部と、
前記主配線部と前記副配線部とを電気的に接続するための第１配線接続部と、
を含み、
前記第１配線接続部は、前記主配線部および前記副配線部を構成する層とは異なる層により構成されている、
表示装置。
【請求項２】
前記主配線部の前記液晶注入口部が設けられた辺に沿った方向の長さは、前記副配線部の前記液晶注入口部が設けられた辺に沿った方向の長さよりも大きい、請求項１に記載の表示装置。
【請求項３】
前記副配線部は、前記副配線部の少なくとも前記液晶注入口部と反対側の端部近傍で前記主配線部と電気的に接続されている、請求項１または２に記載の表示装置。
【請求項４】
前記副配線部は、前記副配線部の前記液晶注入口部と反対側の端部近傍に加えて、前記副配線部の前記液晶注入口部側の端部近傍でも、前記主配線部と電気的に接続されている、請求項３に記載の表示装置。
【請求項５】
前記副配線部は、前記液晶注入口部を挟むように少なくとも一対配置されており、
前記液晶注入口部に配置され、前記副配線部同士を接続するための第２配線接続部をさらに備え、
前記第２配線接続部は、前記副配線部よりも小さい幅を有する、請求項１〜４のいずれか１項に記載の表示装置。
【請求項６】
前記表示部に形成されるとともに、前記表示部から前記液晶が漏れるのを抑制するためのシール部材をさらに備え、
前記シール部材は、平面的に見て、前記主配線部および前記副配線部に重なるように配置されている、請求項１〜５のいずれか１項に記載の表示装置。
【請求項７】
前記液晶に電圧を印加するための対向電極をさらに備え、
前記主配線部および前記副配線部からなる前記配線は、少なくとも前記対向電極に信号を供給するための配線部である、請求項１〜６のいずれか１項に記載の表示装置。
【請求項８】
前記液晶注入口部から前記液晶が漏れるのを抑制するための封止剤をさらに備え、
前記封止剤は、前記液晶注入口部の開口部を覆うとともに、前記液晶注入口部に対応する前記副配線部が配置されない部分に配置されている、請求項１〜７のいずれか１項に記載の表示装置。
【発明の詳細な説明】
【技術分野】
【０００１】
本発明は、表示装置に関し、特に、液晶を注入する液晶注入口部を含む表示部を備えた表示装置に関する。
【背景技術】
【０００２】
従来、液晶を注入する液晶注入口部を含む表示部を備えた表示装置が知られている（たとえば、特許文献１参照）。
【０００３】
上記特許文献１には、液晶の注入口が形成されたシール材と、シール材の注入口を封止するための封止剤とを含む液晶パネルを備えた液晶表示装置が開示されている。上記特許文献１に記載の液晶表示装置では、液晶パネルにおいて、シール材の注入口近傍に形成された配線部分には、封止剤を硬化させるための可視光線などが入射可能なように切り欠き部が形成されている。そして、切り欠き部分の配線の幅の大きさが小さくなることにより配線抵抗が増加して時定数が増加することを抑制するために、切り欠き部が形成されていない部分の配線の幅を、より大きく形成するように構成している。これにより、液晶パネルにおける時定数の増加に起因した信号の応答速度の低下を抑制することが可能なように構成されている。
【０００４】
【特許文献１】特開平１１―２４９１５７号公報
【発明の開示】
【発明が解決しようとする課題】
【０００５】
しかしながら、上記特許文献１に記載の液晶表示装置では、信号の応答速度の低下を抑制するために切り欠き部以外における部分の配線の幅を大きくするように形成するため、配線の幅が大きくなる分、圧縮応力または引張り応力などが増加する場合がある。この場合、配線の膜剥がれが発生するという問題点がある。
【０００６】
この発明は、上記のような課題を解決するためになされたものであり、この発明の１つの目的は、信号の応答速度の低下を抑制しながら、配線の膜剥がれが発生するのを抑制することが可能な表示装置を提供することである。
【課題を解決するための手段および発明の効果】
【０００７】
この発明の一の局面による表示装置は、液晶を注入する液晶注入口部を含む表示部と、平面的に見て、表示部の液晶注入口部が設けられた辺に沿って最外周部に形成された配線と、を備え、配線は、液晶注入口部が設けられた辺に沿って配置された主配線部と、主配線部よりも外側に主配線部と平行に延びるように配置されるとともに、液晶注入口部に対応する部分には配置されないように構成された副配線部と、主配線部と副配線部とを電気的に接続するための第１配線接続部と、を含み、第１配線接続部は、主配線部および副配線部を構成する層とは異なる層により構成されている。
【０００８】
この発明の一の局面による表示装置では、上記のように、表示部の液晶注入口部が設けられた辺に沿って最外周部に形成された配線を、互いに電気的に接続された主配線部と副配線部とから構成するとともに、副配線部が液晶注入口部に対応する部分には配置されないように構成することによって、配線を液晶注入口部近傍に設ける場合に、副配線部は液晶注入口部に対応する部分には配置されないので、配線に切り欠き部を設けることなく、封止剤を硬化させるための可視光線を照射する領域を設けることができる。また、主配線部と副配線部とをそれぞれ別々に設け、かつ、互いに電気的に接続するように構成することによって、切り欠き部を形成する場合と異なり、配線（主配線部および副配線部）の幅の大きさが部分的に変化することなく、主配線部および副配線部を、それぞれの配線部の幅を一定の大きさに維持した状態で接続して配線することができる。その結果、配線の幅を大きくすることにより発生する引張り応力および圧縮応力に起因して、配線の膜剥がれが発生するのを抑制することができる。また、配線を主配線部および副配線部により構成することによって、主配線部および副配線部の合計の幅は大きくなるので、その分、配線抵抗を低減することができる。これにより、配線の幅を小さくすることに起因して信号の応答速度が低減するのを抑制することができる。また、主配線部および副配線部のそれぞれの幅を一定の大きさに維持した状態で異なる層からなる第１配線接続部により容易に主配線部と副配線部とを接続することができる。
【０００９】
上記一の局面による表示装置において、好ましくは、主配線部の液晶注入口部が設けられた辺に沿った方向の長さは、副配線部の液晶注入口部が設けられた辺に沿った方向の長さよりも大きい。このように構成すれば、副配線部の液晶注入口部が設けられた辺に沿った方向に副配線部を配置する際、主配線部における液晶注入口部が設けられた辺に沿った方向の長さよりも小さい分、容易に、液晶注入口部に対応する部分に副配線部を配置しないように構成することができる。
【００１３】
上記一の局面による表示装置において、好ましくは、副配線部は、副配線部の少なくとも液晶注入口部と反対側の端部近傍で主配線部と電気的に接続されている。このように構成すれば、互いに平行に配置された主配線部と副配線部とを並列接続する際に、並列接続における副配線部側の一方の接続部分が副配線部の端部になる。ここで、電気抵抗における並列接続においては、合成抵抗は、各抵抗の抵抗値の逆数の総和の逆数であるので、並列接続された部分の合成抵抗は、並列接続されない場合の各抵抗に比べても小さくなる。すなわち、並列接続することにより結果的に抵抗値は小さくなる。また、抵抗値は、配線が長いほど大きくなることにより、並列接続した場合における合成抵抗の抵抗値は、配線が長いほど小さくなる。したがって、主配線部と副配線部とを並列接続する場合、並列接続された部分の長さが大きいほど、合成抵抗の抵抗値の低下分が大きくなるので、その分、全体の合成抵抗値は小さくなる。したがって、主配線部および副配線部を並列接続する場合に、少なくとも一方の接続部分が副配線部の端部になるように構成することにより、一方の接続部分が端部以外で接続される場合に比べて、並列接続される部分の長さが大きくなる。その結果、その分、合成抵抗が小さくなるので、全体を低抵抗化することができる。
【００１４】
この場合において、好ましくは、副配線部は、副配線部の液晶注入部と反対側の端部近傍に加えて、副配線部の液晶注入口部側の端部近傍でも、主配線部と電気的に接続されている。このように構成すれば、副配線部の両端部が、それぞれ主配線部に接続されるので、副配線部の領域は、全て主配線部との並列接続になる。したがって、副配線部の一部分と主配線部とを並列接続する場合に比べて、合成抵抗をより小さくすることができる。したがって、配線をより低抵抗化することができる。
【００１５】
上記一の局面による表示装置において、好ましくは、副配線部は、液晶注入口部を挟むように少なくとも一対配置されており、液晶注入口部に配置され、副配線部同士を接続するための第２配線接続部をさらに備え、第２配線接続部は、副配線部よりも小さい幅を有する。このように構成すれば、第２配線接続部により副配線部同士を接続する構成において、第２配線接続部は副配線部よりも幅が小さいので、液晶注入口部に対応する部分に第２配線接続部を配置したとしても、封止剤を硬化させるための可視光線を照射する領域を確実に確保することができる。
【００１６】
上記一の局面による表示装置において、好ましくは、表示部に形成されるとともに、表示部から液晶が漏れるのを抑制するためのシール部材をさらに備え、シール部材は、平面的に見て、主配線部および副配線部に重なるように配置されている。このように構成すれば、シール部材が主配線部および副配線部の上方に形成されることにより、主配線部および副配線部はシール部材に上方側から押圧される構成となるので、配線に圧縮応力または引張り応力などが働いたとしても、配線部分に膜剥がれが起こるのを確実に抑制することができる。
【００１７】
上記一の局面による表示装置において、好ましくは、液晶に電圧を印加するための対向電極をさらに備え、主配線部および副配線部からなる配線は、少なくとも対向電極に信号を供給するための配線部である。このような対向電極に信号を供給する配線部では、応答速度の向上のために低時定数が要求されるので、上記のような、時定数の増加を抑制することが可能な主配線部および副配線部からなる本発明の配線を適用することによって、対向電極における応答速度を向上させることができる。
【００１８】
上記一の局面による表示装置において、好ましくは、液晶注入口部から液晶が漏れるのを抑制するための封止剤をさらに備え、封止剤は、液晶注入口部の開口部を覆うとともに、液晶注入口部に対応する副配線部が配置されない部分に形成されている。このように構成すれば、液晶注入口部に対応する副配線部が配置されない部分にまで封止剤を注入することができるので、液晶注入口部を確実に封止することができる。また、液晶注入口部に対応する副配線部が配置されない部分にまで封止剤を注入したとしても、副配線部は配置されていないので、封止剤を硬化するための可視光線または紫外線を、確実に照射することができる。
【発明を実施するための最良の形態】
【００１９】
以下、本発明の実施形態を図面に基づいて説明する。
【００２０】
（第１実施形態）
図１は、本発明の第１実施形態による液晶表示装置（表示装置）の構成を示すブロック図である。図２は、本発明の第１実施形態による液晶表示装置の表示画素部分における断面図である。図３および図４は、本発明の第１実施形態による液晶表示装置の表示部における配線を説明するための平面図である。図５は、本発明の第１実施形態による液晶表示装置の配線を説明するための断面図である。まず、図１〜図５を参照して、本発明の第１実施形態による液晶表示装置１００の構成について説明する。
【００２１】
第１実施形態による液晶表示装置１００は、図１に示すように、表示部１と駆動部２とから構成されている。
【００２２】
表示部１には、基板１０が設けられている。基板１０上には、マトリクス状に配置された複数の表示画素１１と、走査線駆動回路１２と、データ線駆動回路１３とが配置されている。また、基板１０上において、複数の走査線１２ａおよび信号線１３ａが、互いに直交するように配置されている。ここで、複数の走査線１２ａは、走査線駆動回路１２に接続されているとともに、複数の信号線１３ａは、データ線駆動回路１３に接続されている。また、走査線１２ａと信号線１３ａとが直交する位置には、それぞれ、表示画素１１が配置されている。なお、図１には、図面の簡略化のために２画素分の構成のみを示している。
【００２３】
各々の表示画素１１は、トランジスタ１１ａ（ＴＦＴ）と、画素電極１１ｂと、画素電極１１ｂに対向する位置に配置された対向電極１１ｃと、補助容量１１ｄとにより構成されている。また、表示画素１１の画素電極１１ｂと対向電極１１ｃとの間には、液晶１４が配置されている。また、トランジスタ１１ａのドレイン領域Ｄは、信号線１３ａに接続されているとともに、ソース領域Ｓは、画素電極１１ｂと補助容量１１ｄの一方の電極とに接続されている。また、トランジスタ１１ａのゲートＧは走査線１２ａに接続されている。
【００２４】
また、表示画素１１が形成された領域の詳細な断面構造としては、図２に示すように、ガラス基板１５上に、ポリシリコンからなる能動層１６が形成されている。そして、能動層１６には、チャネル領域１６ｃを挟むように所定の間隔を隔てて、ソース領域１６ａおよびドレイン領域１６ｂが形成されている。また、能動層１６のチャネル領域１６ｃ上には、ゲート絶縁膜を構成するＳｉＯ２からなる絶縁膜１７を介して、Ｍｏ層からなるゲート電極１８が形成されている。そして、ソース領域１６ａと、ドレイン領域１６ｂと、チャネル領域１６ｃと、絶縁膜１７と、ゲート電極１８とによって、トランジスタ１１ａが形成されている。
【００２５】
また、トランジスタ１１ａを覆うように、ＳｉＯ２からなる層間絶縁膜１９が形成されているとともに、層間絶縁膜１９には、コンタクトホール１９ａおよび１９ｂが形成されている。また、層間絶縁膜１９のコンタクトホール１９ａを介してソース領域１６ａに電気的に接続するようにソース電極２０ａが形成されている。また、コンタクトホール１９ｂを介してドレイン領域１６ｂに接続するようにドレイン電極２０ｂが形成されている。なお、ソース電極２０ａおよびドレイン電極２０ｂは、たとえば、Ａｌなどからなる。
【００２６】
また、層間絶縁膜１９上には、ＳｉＮからなる絶縁膜２１を介して、アクリル樹脂からなるとともに、開口部２２ａが形成された平坦化膜２２が設けられている。また、開口部２２ａは、ソース電極２０ａに対応する領域に形成されている。また、平坦化膜２２上には、表示画素１１毎に、透明電極からなる画素電極１１ｂが形成されている。
【００２７】
また、ガラス基板１５と対向する位置には、ガラス基板（対向基板）２３が設けられている。また、ガラス基板２３の表面上の画素間に対応する領域には、画素間の光の漏れを防止するためのブラックマトリックス膜２４が形成されている。また、ガラス基板２３上には、赤（Ｒ）、緑（Ｇ）および青（Ｂ）の各色を呈するカラーフィルタ２５が形成されている。そして、ブラックマトリックス膜２４およびカラーフィルタ２５の表面上には、透明電極からなる対向電極１１ｃが形成されている。
【００２８】
また、画素電極１１ｂおよび対向電極１１ｃの表面上には、それぞれ、配向膜（図示せず）が形成されている。そして、ガラス基板１５側の配向膜とガラス基板２３側の配向膜との間には、液晶１４が充填されている。
【００２９】
また、図１に示すように、駆動部２は、表示部１へ各種信号を供給する電源回路２ａと、タイミング発生回路２ｂとを含んでいる。タイミング発生回路２ｂは、ＲＧＢの映像データの書き込みのタイミング信号、映像データの表示画素１１への書き込みの順序の切り替えのタイミング信号、および、液晶１４へ印加する電圧を制御するＣＯＭ（図示せず）に対する制御信号などを発生させる機能を有する。
【００３０】
また、図３に示すように、平面的に見て、表示部１には、ガラス基板１５および２３の外周部分に沿うように形成されるとともに、画素電極１１ｂおよび対向電極１１ｃ間の領域に挟まれるように形成されたシール部材３０が設けられている。このシール部材３０は、画素電極１１ｂおよび対向電極１１ｃ間に充填された液晶１４が漏れるのを抑制するために設けられている。また、表示部１のシール部材３０の所定の部分には、液晶１４を注入するための液晶注入口部３０ａが設けられている。また、液晶注入口部３０ａには、液晶注入口部３０ａの開口部３０ｂを封止するための封止剤３１が設けられている。この封止剤３１は、液晶注入口部３０ａを覆うように設けられるとともに、液晶注入口部３０ａの開口部３０ｂからシール部材３０の内部側に浸入した状態で硬化される。なお、封止剤３１は、たとえば、紫外線または可視光線を照射することにより硬化するように構成されている。
【００３１】
ここで、第１実施形態では、図４に示すように、表示部１のシール部材３０の下面側の領域（図２のガラス基板１５側の領域）には、配線３２が形成されている。配線３２は、平面的に見て、表示部１の液晶注入口部３０ａ（図３参照）が設けられた辺に沿って、最外周部に形成されている。また、配線３２は、液晶注入口部３０ａが設けられた辺に沿って配置されたメイン配線部３２ａと、メイン配線部３２ａよりも外側にメイン配線部３２ａと平行に延びるように配置されるとともに、液晶注入口部３０ａに対応する部分には配置されないように形成されたサブ配線部３２ｂとから構成されている。つまり、液晶注入口部３０ａが設けられた辺に沿った方向において、メイン配線部３２ａは、サブ配線部３０ｂよりも長くなるように構成されている。また、メイン配線部３２ａとサブ配線部３２ｂとの間隔（図４のＬ１）は、約５μｍ程度になるように形成されている。また、第１実施形態では、配線３２は、Ａｌからなるとともに、対向電極１１ｃ（図１参照）に信号を供給するための配線として構成されている。また、メイン配線部３２ａは、液晶注入口部３０ａが設けられた辺と直交する一対の辺に沿っても延びるように形成されている。なお、メイン配線部３２ａおよびサブ配線部３２ｂは、それぞれ、本発明の「主配線部」および「副配線部」の一例である。
【００３２】
また、第１実施形態では、サブ配線部３２ｂは、液晶注入口部３０ａ側と液晶注入口部３０ａ側の反対側とにおける両端部において、それぞれ、第１配線接続部３３により、メイン配線部３２ａと電気的に接続されている。これにより、サブ配線部３２ｂは、メイン配線部３２ａに対して並列接続された構成になる。ここで、電気抵抗における並列接続においては、合成抵抗は、各抵抗の抵抗値の逆数の総和の逆数であるので、並列接続された部分の合成抵抗は、並列接続されない場合の各抵抗に比べても小さくなる。すなわち、並列接続することにより結果的に抵抗値は小さくなる。また、抵抗値は、配線が長いほど大きくなることにより、並列接続した場合における合成抵抗の抵抗値は、配線が長いほど小さくなる。したがって、メイン配線部３２ａとサブ配線部３２ｂとを並列接続する場合、並列接続された部分の長さが大きいほど、合成抵抗の抵抗値の低下分が大きくなるので、その分、全体の合成抵抗値は小さくなる。
【００３３】
また、第１実施形態では、第１配線接続部３３の幅Ｗ３は、メイン配線部３２ａの幅Ｗ１およびサブ配線部３２ｂの幅Ｗ２よりも小さくなるように構成されている。なお、メイン配線部３２ａの幅Ｗ１、サブ配線部３２ｂの幅Ｗ２および第１配線接続部３３の幅Ｗ３は、約３００μｍ以下に設定されている。
【００３４】
ここで、配線３２のメイン配線部３２ａとサブ配線部３２ｂとの第１配線接続部３３における接続部分について説明する。具体的には、図５に示すように、ガラス基板１５上には、図２に示した絶縁膜１７と同じＳｉＯ２からなる絶縁膜１７が形成されているとともに、絶縁膜１７上に、Ｍｏからなる第１配線接続部３３が形成されている。この第１配線接続部３３は、図２に示したゲート電極１８を構成する層（Ｍｏ層）と同一の層をパターニングすることにより形成される。第１配線接続部３３には、図２に示した層間絶縁膜１９と同一の層間絶縁膜１９が形成されているとともに、その層間絶縁膜１９には、コンタクトホール１９ｃおよび１９ｄが形成されている。そして、コンタクトホール１９ｃを介して、メイン配線部３２ａが第１配線接続部３３と接続されているとともに、コンタクトホール１９ｄを介して、サブ配線部３２ｂが第１配線接続部３３と接続されている。これにより、メイン配線部３２ａおよびサブ配線部３２ｂは、第１配線接続部３３を介して接続される。なお、メイン配線部３２ａおよびサブ配線部３２ｂは、図２に示したソース電極２０ａおよびドレイン電極２０ｂを構成する層と同一の層をパターニングすることにより形成される。ここで、第１実施形態では、第１配線接続部３３は、メイン配線部３２ａおよびサブ配線部３２ｂを構成する層に対して絶縁膜１９を介して設けられた異なる層（Ｍｏ層）により構成されている。また、メイン配線部３２ａ、サブ配線部３２ｂおよび第１配線接続部３３上には、ＳｉＮからなる絶縁膜２１が形成されているとともに、絶縁膜２１上に平坦化膜２２が形成されている。
【００３５】
また、第１実施形態では、図３および図５に示すように、平面的に見て、シール部材３０は、メイン配線部３２ａおよびサブ配線部３２ｂに重なるように配置されている。
【００３６】
次に、図１を参照して、本発明の第１実施形態による液晶表示装置の表示動作について説明する。
【００３７】
まず、走査線駆動回路１２に駆動信号が供給されることによって、走査線駆動回路１２が駆動する。これにより、走査線１２ａに順次Ｈレベルの信号が供給されるとともに、走査線１２ａを介して、トランジスタ１１ａのゲートＧにＨレベルの信号が供給される。そして、ゲートＧにＨレベルの信号が供給されたトランジスタ１１ａから順にオン状態になる。そして、トランジスタ１１ａがオン状態になることにより、データ線駆動回路１３からトランジスタ１１ａのドレインＤおよびソースＳを介して、画素電極１１ｂに画素信号が供給されるとともに、それぞれ対応する表示画素１１において、書き込みが行われる。このように、たとえば、上部の行から下部の行へ、行毎に順次表示画素１１の書き込みが行われる。そして、全ての表示画素１１への書き込みが完了した後に画像が表示される。
【００３８】
第１実施形態では、上記のように、配線３２を液晶注入口部３０ａ近傍に設ける場合に、配線３２のサブ配線部３２ｂが液晶注入口部３０ａに対応する部分には配置されないように構成することによって、配線３２に切り欠き部を設けることなく、封止剤３１を硬化させるための可視光線を照射する領域を設けることができる。また、配線３２を、メイン配線部３２ａとサブ配線部３２ｂとをそれぞれ別々に設け、かつ、互いに電気的に接続することによって、切り欠き部を形成する場合と異なり、配線３２（メイン配線部３２ａおよびサブ配線部３２ｂ）の幅の大きさが部分的に変化することなく、メイン配線部３２ａおよびサブ配線部３２ｂを、それぞれの配線部の幅を一定の大きさに維持した状態で接続して配線することができる。その結果、配線の幅を大きくすることにより発生する引張り応力および圧縮応力に起因して、配線の膜剥がれが発生するのを抑制することができる。また、配線３２をメイン配線部３２ａおよびサブ配線部３２ｂにより構成することによって、メイン配線部３２ａおよびサブ配線部３２ｂの合計の幅は大きくなるので、その分、配線抵抗を低減することができる。これにより、配線の幅を小さくすることに起因して信号の応答速度が低減するのを抑制することができる。
【００３９】
また、第１実施形態では、メイン配線部３２ａの液晶注入口部３０ａが設けられた辺に沿った方向の長さが、サブ配線部３２ｂの液晶注入口部３０ａが設けられた辺に沿った方向の長さよりも大きくなるように構成することによって、サブ配線部３２ｂを配置する際、メイン配線部３２ａのサブ配線部３２ｂと平行に形成された部分における長さよりも小さい分、容易に、液晶注入口部３０ａに対応する部分にサブ配線部３２ｂを配置しないように構成することができる。
【００４０】
また、第１実施形態では、配線３２を、メイン配線部３２ａとサブ配線部３２ｂと第１配線接続部３３とから構成するとともに、第１配線接続部３３を、メイン配線部３２ａおよびサブ配線部３２ｂを構成する層とは異なる層により構成することによって、メイン配線部３２ａおよびサブ配線部３２ｂのそれぞれの幅を一定の大きさに維持した状態で、第１配線接続部３３により容易にメイン配線部３２ａとサブ配線部３２ｂとを接続することができる。
【００４１】
また、第１実施形態では、サブ配線部３２ｂをメイン配線部３２ａに対して並列接続する際に、サブ配線部３２ｂの両端部近傍で、それぞれ、メイン配線部３２ａと電気的に接続することによって、メイン配線部３２ａに対してサブ配線部３２ｂの両端部以外の部分で接続する場合に比べて、並列接続された部分がより長くなる。したがって、合成抵抗をより小さくすることができる。その結果、配線３２をより低抵抗化することができる。
【００４２】
また、第１実施形態では、シール部材３０を、メイン配線部３２ａおよびサブ配線部３２ｂに、上方側から重なるように形成することによって、メイン配線部３２ａおよびサブ配線部３２ｂはシール部材３０に上方側から押圧される構成となるので、配線に圧縮応力または引張り応力などが働いたとしても、配線部分に膜剥がれが起こるのを確実に抑制することができる。
【００４３】
また、第１実施形態では、配線３２を、対向電極１１ｃに信号を供給するための配線部として構成することによって、対向電極１１ｃに信号を供給するための配線部が低時定数により構成されるので、対向電極１１ｃにおける応答速度を向上させることができる。
【００４４】
また、第１実施形態では、封止剤３１を、液晶注入口部３０ａの開口部３０ｂを覆うとともに、液晶注入口部３０ａに対応するサブ配線部３２ｂが配置されない部分に形成することによって、液晶注入口部３０ａに対応するサブ配線部３２ｂが配置されない部分にまで封止剤３１を注入することができるので、液晶注入口部３０ａを確実に封止することができる。また、液晶注入口部３０ａに対応するサブ配線部３２ｂが配置されない部分にまで封止剤３１を注入したとしても、サブ配線部３２ｂは配置されていないので、封止剤３１を硬化するための可視光線または紫外線を、確実に照射することができる。
【００４５】
（第２実施形態）
図６は、本発明の第２実施形態による液晶表示装置の表示部における配線を説明するための平面図である。図７は、本発明の第２実施形態による液晶表示装置の表示部における配線を説明するための断面図である。この第２実施形態による液晶表示装置２００では、第１実施形態とは異なり、図６に示すように、第１配線接続部４３を、メイン配線部４２ａおよびサブ配線部４２ｂを構成する層と一体的に形成する例について説明する。
【００４６】
具体的には、図７に示すように、メイン配線部４２ａ、サブ配線部４２ｂおよび第１配線接続部４３は、Ａｌからなる同一層により一体的に形成されている。また、図６に示すように、第１配線接続部４３の幅Ｗ４は、メイン配線部４２ａの幅Ｗ１およびサブ配線部４２ｂの幅Ｗ２よりも小さくなるように構成されている。なお、メイン配線部４２ａおよびサブ配線部４２ｂにより、配線４２が構成されている。
【００４７】
なお、第２実施形態におけるその他の構成および動作は、第１実施形態と同様である。
【００４８】
第２実施形態では、上記のように、配線４２を、メイン配線部４２ａとサブ配線部４２ｂとを電気的に接続するための第１配線接続部４３を一体的に含むように構成することによって、メイン配線部４２ａ、サブ配線部４２ｂおよび第１配線接続部４３が同一層により形成されるので、第１配線接続部４３を、メイン配線部４２ａおよびサブ配線部４２ｂとは異なる層により形成する場合に比べて、それぞれの接続部分におけるコンタクト抵抗を小さくすることができる。したがって、より低抵抗化を図ることができる。
【００４９】
また、第２実施形態では、第１配線接続部４３の幅を、メイン配線部４２ａおよびサブ配線部４２ｂの幅よりも小さくなるように構成することによって、第１配線接続部４３に膜剥がれが発生するのを抑制することができる。
【００５０】
（第３実施形態）
図８は、本発明の第３実施形態による液晶表示装置の表示部における配線を説明するための平面図である。本発明における第３実施形態の液晶表示装置３００では、上記第１実施形態とは異なり、液晶注入口部３０ａを挟むように配置された一対のサブ配線部３２ｂ同士を接続する例について説明する。
【００５１】
この第３実施形態では、図８に示すように、液晶注入口部３０ａを挟むように配置された一対のサブ配線部３２ｂ同士を接続するための第２配線接続部５３が設けられている。第２配線接続部５３の幅Ｗ５は、サブ配線部３２ｂの幅Ｗ２よりも小さくなるように構成されている。また、第２配線接続部５３は、メイン配線部３２ａおよびサブ配線部３２ｂとは異なる層により構成されており、たとえば、第１実施形態の第１配線接続部３３と同様のＭｏ層により形成されている。
【００５２】
なお、第３実施形態におけるその他の構成および動作は、第１実施形態と同様である。
【００５３】
第３実施形態では、上記のように、液晶注入口部３０ａを挟むように配置されたサブ配線部３２ｂ同士を接続するための第２配線接続部５３を設けるとともに、第２配線接続部５３の幅Ｗ５が、サブ配線部３２ｂの幅Ｗ２よりも小さくなるように構成することによって、液晶注入口部３０ａに対応する部分に第２配線接続部５３を配置したとしても、封止剤３１を硬化させるための可視光線を照射する領域を確実に確保することができる。
【００５４】
（第４実施形態）
図９は、本発明の第４実施形態による液晶表示装置の表示部における配線を説明するための平面図である。本発明の第４実施形態では、上記第１実施形態と異なり、二対のサブ配線部を設けた例について説明する。
【００５５】
第４実施形態では、図９に示すように、一対のサブ配線部６２ｂのそれぞれの両端部において、第１配線接続部６３によりメイン配線部６２ａと接続されているとともに、サブ配線部６２ｂの外側に、サブ配線部６２ｂと平行に延びるように一対のサブ配線部６２ｃが形成されている。そして、一対のサブ配線部６２ｃのそれぞれの両端部において、第１配線接続部６３によりサブ配線部６２ｂと接続されている。つまり、メイン配線部６２ａに対して、サブ配線部６２ｂおよびサブ配線部６２ｃと、第１配線接続部３３を介して、それぞれ並列接続されている。ここで、サブ配線部６２ｂおよびサブ配線部６２ｃは、それぞれ、両端部でメイン配線部６２ａと並列接続されているので、サブ配線部６２ｂおよびサブ配線部６２ｃを、両端部以外の部分でメイン配線部６２ａと並列接続する場合よりも、低抵抗化することができる。なお、第１配線接続部６３は、メイン配線部６２ａ、サブ配線部６２ｂおよびサブ配線部６２ｃとは異なる層により構成されており、たとえば、第１実施形態の第１配線接続部３３と同様のＭｏ層により形成されている。
【００５６】
なお、第４実施形態におけるその他の構成および動作は、上記第１実施形態と同様である。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、上記第１〜第３実施形態では、１つのメイン配線部に対して、一対からなるサブ配線部を接続する例を示したが、本発明はこれに限らず、一つのメイン配線部に対して、一つのサブ配線部のみを接続してもよい。
【００５９】
また、上記第１〜第４実施形態では、１つのメイン配線部に複数のサブ配線部を接続する例を示したが、本発明はこれに限らず、メイン配線部が複数あってもよい。この場合でも、表示部の最外周部にはサブ配線部が形成される。
【００６０】
また、上記第３実施形態では、２本の第２配線接続部によりサブ配線部同士を接続する例を示したが、本発明はこれに限らず、１本の第２配線接続部により接続してもよい。また、２本以上の複数本の第２配線接続部により接続してもよい。
【図面の簡単な説明】
【００６１】
【図１】本発明の第１実施形態による液晶表示装置の構成を示すブロック図である。
【図２】本発明の第１実施形態による液晶表示装置の表示画素部の断面図である。
【図３】本発明の第１実施形態による液晶表示装置の配線を説明するための平面図である。
【図４】本発明の第１実施形態による液晶表示装置の配線を説明するための平面図である。
【図５】図４の５００−５００線に沿った断面図である。
【図６】本発明の第２実施形態による液晶表示装置の配線を説明するための平面図である。
【図７】図６の６００−６００線に沿った断面図である。
【図８】本発明の第３実施形態による液晶表示装置の配線を説明するための平面図である。
【図９】本発明の第４実施形態による液晶表示装置の配線を説明するための平面図である。
【符号の説明】
【００６２】
１                      表示部
１１ｃ                  対向電極
１４                    液晶
３０                    シール部材
３０ａ                  液晶注入口部
３１                    封止剤
３２、４２、６２        配線
３２ａ、４２ａ、６２ａ  メイン配線部（主配線部）
３２ｂ、４２ｂ、６２ｂ  サブ配線部（副配線部）
３３、４３、６３        第１配線接続部
５３                    第２配線接続部
【図１】
0005062677.tif 000002
【図２】
0005062677.tif 000003
【図３】
0005062677.tif 000004
【図４】
0005062677.tif 000005
【図５】
0005062677.tif 000006
【図６】
0005062677.tif 000007
【図７】
0005062677.tif 000008
【図８】
0005062677.tif 000009
【図９】
0005062677.tif 000010